(57)【要約】【課題】  セットした普通紙の向きや大きさに応じて自動的に印刷する文字の向きと大きさを変更可能なファクシミリ装置を提供する。【解決手段】  制御部１０１は、Ｓ４ステップにおいて自動印刷設定されていると判定すると、Ｓ７ステップで普通紙がセット中であるか否かを判定し、普通紙がセットされていれば、Ｓ９ステップ及びＳ１０ステップにおいて、セットされている普通紙の向きとサイズを検出し、Ｓ１１ステップにおいてセットされている普通紙がＡ５サイズであると判定すると、Ｓ１３ステップにおいて縮小印刷動作を行い、一方、Ｓ１１ステップにおいてＡ４サイズがセットされていると判定すると、Ｓ１２ステップにおいてそのままの文字大きさで印刷を行う。【選択図】  図３
2011199694.tif 000002
【特許請求の範囲】
【請求項１】
異なるサイズの普通紙に印刷可能なファクシミリ装置であり、
画情報を格納する格納手段と、
当該格納手段に格納されている画情報を印刷する印刷手段と、
普通紙をセットするための収納手段と、
当該収納手段に収納されている普通紙の向きと大きさを検出する普通紙検出手段と、
印刷動作を行う際に、前記普通紙検出手段の検出結果に基づいて、前記普通紙に印刷する文字の向きと大きさを自動的に変更するように前記印刷手段を制御する制御手段と、を有することを特徴とするファクシミリ装置。
【請求項２】
異なるサイズの普通紙に印刷可能なファクシミリ装置であり、
画情報を格納する格納手段と、
当該格納手段に格納されている画情報を印刷する印刷手段と、
普通紙をセットするための収納手段と、
当該収納手段に収納されている普通紙がＡ４であるかＡ５であるかを検出する普通紙検出手段と、
印刷動作を行う際に、前記普通紙検出手段が、Ａ５普通紙が収納されていることを検出していると判定すると、前記格納手段に格納されている画情報を自動的に縮小して印刷するように前記印刷手段を制御する制御手段と、を有することを特徴とするファクシミリ装置。
【請求項３】
請求項２に記載のファクシミリ装置であり、更に、前記収納手段に収納されている普通紙の向きが縦向きか或いは横向きかを検出する普通紙方向検出手段を有し、
前記制御手段は、当該普通紙方向検出手段の検出結果に基づいて、印刷する文字の向きを変更するように前記印刷手段を制御することを特徴とするファクシミリ装置。
【発明の詳細な説明】
【技術分野】
【０００１】
本発明は、普通紙に印刷可能なファクシミリ装置に関する。
【背景技術】
【０００２】
ファクシミリ装置には、受信した画像情報を印刷する際に普通紙に印刷を行うものとロール紙に印刷を行うものが存在する。ロール紙に印刷を行うファクシミリ装置では、例えば、特許文献１に記載されているように、画情報を受信するとロール紙をフィードさせて印刷を開始し、この印刷動作が終了するとこのロール紙をカッタで切断することで、ロール紙に印刷を行うことができる。
【０００３】
一方、普通紙に印刷を行うファクシミリ装置では、画情報を受信すると普通紙をフィードさせて印刷を開始し、この印刷動作が終了すると印刷が行われた普通紙をフィードすることにより、印刷を行うことができる。
【先行技術文献】
【特許文献】
【０００４】
【特許文献１】特開平７−１４３２７７号公報
【発明の概要】
【発明が解決しようとする課題】
【０００５】
特許文献１に記載のようなロール紙タイプのファクシミリ装置では、印刷の済んだロール紙は柔らかく、また、印刷した画情報の量に応じて印刷済みのロール紙のサイズが異なるといった事態が生じる。この為、印刷済みのロール紙をファイル等に保管しにくいといった問題が生じる。
【０００６】
一方、普通紙タイプのファクシミリ装置では、ロール紙に比べて硬く、また、Ａ４、Ａ５といったように印刷する普通紙のサイズが予め決められているため、印刷済みの普通紙をファイル等に保管しやすいといったメリットが存在する。
【０００７】
しかしながら、普通紙タイプのファクシミリ装置は、機種によっては、A４サイズの普通紙を挿入するべきところを、ユーザが誤ってA５サイズの普通紙を挿入していたために、受信した画像がとぎれるように印刷されたり、A５普通紙のフィードが既に終了しているのにもかかわらずインクリボンの送りと印字動作が継続され、インクリボンを無駄に消費すると共に受信した画像を全て普通紙に印刷できないといった問題が生じる。
【課題を解決するための手段】
【０００８】
本発明はこのような課題を解決するためのものであり、請求項１に記載のファクシミリ装置は、異なるサイズの普通紙に印刷可能なファクシミリ装置であり、画情報を格納する格納手段と、当該格納手段に格納されている画情報を印刷する印刷手段と、普通紙をセットするための収納手段と、当該収納手段に収納されている普通紙の向きと大きさを検出する普通紙検出手段と、印刷動作を行う際に、前記普通紙検出手段の検出結果に基づいて、前記普通紙に印刷する文字の向きと大きさを自動的に変更するように前記印刷手段を制御する制御手段と、を有することを特徴とする。
【０００９】
請求項２に記載のファクシミリ装置は、異なるサイズの普通紙に印刷可能なファクシミリ装置であり、画情報を格納する格納手段と、当該格納手段に格納されている画情報を印刷する印刷手段と、普通紙をセットするための収納手段と、当該収納手段に収納されている普通紙がＡ４であるかＡ５であるかを検出する普通紙検出手段と、印刷動作を行う際に、前記普通紙検出手段が、Ａ５普通紙が収納されていることを検出していると判定すると、前記格納手段に格納されている画情報を自動的に縮小して印刷するように前記印刷手段を制御する制御手段と、を有することを特徴とする。
【００１０】
請求項３に記載のファクシミリ装置は、請求項２に記載のファクシミリ装置であり、更に、前記収納手段に収納されている普通紙の向きが縦向きか或いは横向きかを検出する普通紙方向検出手段を有し、前記制御手段は、当該普通紙方向検出手段の検出結果に基づいて、印刷する文字の向きを変更するように前記印刷手段を制御することを特徴とする。
【発明の効果】
【００１１】
本願発明では、セットされた普通紙に応じて自動的に縮小印刷や印刷される文字の向きを変更することが可能であるため、従来のファクシミリ装置のように、受信した画像が途切れるように印刷されたり、Ａ５普通紙のフィードが既に終了しているのにもかかわらずインクリボンの送りと印字動作が継続され、インクリボンを無駄に消費すると共に受信した画像を全て印刷できないといった問題が発生しない。更に、本願発明は以下に示すような効果を奏するものである。
【００１２】
請求項１に記載のファクシミリ装置によると、ユーザが誤ってＡ５の普通紙をセットしていた場合でも、自動的に画情報が縮小されて印刷されるため、セットされている普通紙にあわせた印字動作を行うことができる。また、セットされている普通紙の向きに応じて自動的に文字の印字向きが変更されるため、全ての普通紙において印字向きを統一させることができる。
【００１３】
また、請求項２に記載のファクシミリ装置によると、ユーザが誤ってＡ５の普通紙をセットしていた場合でも、自動的に画情報が縮小されて印刷されるため、セットされている普通紙に合わせた印字動作を行うことができる。
【００１４】
更に、請求項３に記載のファクシミリ装置では、セットされている普通紙の向きに応じて自動的に文字の印字向きが変更されるため、全ての普通紙において印字向きを統一させることができる。
【図面の簡単な説明】
【００１５】
【図１】本発明を適用してなる実施例装置の斜視図である。
【図２】本実施例装置のブロック図である。
【図３】本実施例装置の動作を示すフロー図である。
【発明を実施するための形態】
【００１６】
以下、本発明を適用してなる実施例装置であるファクシミリ装置について説明する。尚、本実施例装置はファクシミリ装置について実施しているが、印刷機能を搭載したコピー機、プリンタ等にも同様に本発明を適用することが可能である。
【実施例】
【００１７】
本発明を適用してなる実施例装置であるファクシミリ装置１０の斜視図を図１に示す。ファクシミリ装置１０は、ＦＡＸ番号や氏名等の文字を表示する表示部１０９、テンキーや各種キー等からなる入力部１１０、ファクシミリ装置１０へ普通紙をセットする際に、普通紙を受ける収納部１１３等を有している。
【００１８】
次に、本発明の実施例にかかるファクシミリ装置１０の構成を示すブロック図を図２に示す。
【００１９】
制御部１０１は、ファクシミリ装置１０の各回路と接続され、ＲＯＭ（Ｒｅａｄ  Ｏｎｌｙ  Ｍｅｍｏｒｙ）１０６に格納されている各種制御プログラムに基づいて動作する。
【００２０】
網制御部１０２は、電話回線Ｌと接続されており、回線からの着信信号の検出機能や、回線の極性反転を検出する機能、入力部１１０から入力された電話番号やファクシミリ番号を回線Ｌへ送出する機能等を有する。
【００２１】
モデム１０３は、制御部１０１と接続されており、電話回線Ｌを介してファクシミリ制御信号の送受信を行う機能や、画情報の変調、復調、更には符号化、復号化の機能を有する。具体的には、画情報をＭＨ（Ｍｏｄｉｆｉｅｄ  Ｈｕｆｆｍａｎ）、ＭＲ（Ｍｏｄｉｆｉｅｄ  ＲＥＡＤ）、ＭＭＲ（Ｍｏｄｉｆｉｅｄ  Ｍｏｄｉｆｉｅｄ  ＲＥＡＤ）等の符号化あるいは、これらの符号化データを復号化する機能を有する。
【００２２】
読み取り部１０４は、制御部１０１と接続されており、原稿を読み取るイメージスキャナー等で構成されている。
【００２３】
画情報メモリ１０５は、例えばフラッシュメモリからなり、電話回線Ｌを介して受信された画情報や読み取り部１０４により読み取られた画情報を格納する。
【００２４】
ＲＯＭ（Ｒｅａｄ  Ｏｎｌｙ  Ｍｅｍｏｒｙ）１０６は、制御部１０１と接続されており、ファクシミリ装置を動作させる為の制御プログラムを格納する。
【００２５】
ＲＡＭ（Ｒａｎｄｏｍ  Ａｃｃｅｓｓ  Ｍｅｍｏｒｙ）１０７は、制御部１０１と接続され、電話番号や氏名等の電話帳画情報等を格納する。
【００２６】
バッファメモリ１０８は、例えばフラッシュメモリからなり、画情報メモリ１０５に格納されている画情報を展開し、縮小或いはそのまま印刷部１１２へ出力するためのメモリである。
【００２７】
表示部１０９は、制御部１０１と接続されており、例えば、ＬＣＤ（Ｌｉｑｕｉｄ  Ｃｒｙｓｔａｌ  Ｄｉｓｐｌａｙ）等の液晶ディスプレイパネル等からなり、制御部１０１からの制御信号に応じて、現在の通信状態やダイヤル入力時における相手先のＦＡＸ番号など各種のテキスト情報を表示する。
【００２８】
入力部１１０は、制御部１０１と接続されており、テンキーやファクシミリを開始するためのスタートキー、通話を開始するための通話キー、通話を終了するための切キー、機能キー、選択キー等の各種キーからなる。
【００２９】
印刷部１１２は、制御部１０１と接続されており、バッファメモリ１０８に一時的に蓄積された画情報等を印刷する。
【００３０】
収納部１１３は、制御部１０１と接続されており、Ａ４サイズやＡ５サイズの普通紙を縦向きあるいは横向きにセットすることが可能なトレーである。
【００３１】
センサ部１１４は、制御部１０１と接続されており、収納部１１３にセットされた普通紙の大きさと向きを検出する。このセンサ部１１４は、例えば少なくとも２つの光センサで構成され、制御部１０１は、光センサの発光部からの光を受光部により受光できたか或いは（普通紙が光を遮断したために）受光できなかったかを判定することにより、普通紙の大きさと向きを判定する。尚、センサ部１１４は光センサに限らず機械的なスイッチセンサでも良い。
【００３２】
次に、本実施例に係わるファクシミリ装置の動作について、図３のフロー図に基づいて説明する。
【００３３】
Ｓ１ステップにおいて、制御部１０１は、網制御部１０２が回線から着信信号を検出したと判定すると、Ｓ２ステップへ処理を進める。
【００３４】
Ｓ２ステップにおいて、制御部１０１は、モデム１０３を制御することにより、モデム１０３は、電話回線Ｌからのファクシミリ制御信号の受信と続いて回線Ｌから受信した画情報の復調及び復号化を行う。
【００３５】
Ｓ３ステップにおいて、制御部１０１は、Ｓ２ステップにて受信した画情報を画情報メモリ１０５に格納する。
【００３６】
Ｓ４ステップにおいて、制御部１０１は、画情報メモリ１０５に格納されている画情報を自動的に印刷部１１２で印刷する設定がされているか否かを検出し、自動的に印刷する設定がされていればＳ７ステップへ処理を進め、そうでなければ、Ｓ５ステップへ処理を進める。尚、この設定は予めユーザによって行われ、この設定情報はＲＡＭ１０７に格納されているものとする。
【００３７】
Ｓ５ステップにおいて、制御部１０１は、ユーザに普通紙をセットするように指示するメッセージを表示部１０９へ表示するように制御し、Ｓ６ステップへ処理を進める。
【００３８】
Ｓ６ステップにおいて、制御部１０１は、入力部１１０より印刷指示があるか否か判定し、印刷指示があると判定するとＳ７ステップへ処理を進め、印刷指示がないと判定すると、Ｓ１ステップへ処理を戻る。
【００３９】
Ｓ７ステップにおいて、制御部１０１は、センサ部１１４が、収納部１１３へ普通紙が収納されていることを検出したと判定するとＳ９ステップへ処理を進め、そうでなければＳ８ステップへ処理を進める。
【００４０】
Ｓ８ステップにおいて、制御部１０１は、収納部１１３へ普通紙をセットするように促すメッセージを表示部１０９に表示させ、Ｓ７ステップへ処理を戻す。
【００４１】
Ｓ９ステップにおいて、制御部１０１は、センサ部１１４からの出力に基づいて、収納部１１３へセットされている普通紙の大きさがＡ４サイズかＡ５サイズであるかを判定して、この判定した情報をＲＡＭ１０７へ格納する。
【００４２】
Ｓ１０ステップにおいて、制御部１０１は、センサ部１１４からの出力に基づいて、収納部１１３へセットされている普通紙の向きを判定し、この判定した情報をＲＡＭ１０７へ格納する。
【００４３】
即ち、Ｓ９ステップとＳ１０ステップにおいて、ＲＡＭ１０７には、セットされた普通紙が縦向きであるか或いは横向きであるかという情報と、セットされた普通紙のサイズがＡ４サイズであるか或いはＡ５サイズであるかという情報が格納される。
【００４４】
Ｓ１１ステップにおいて、制御部１０１は、Ｓ９ステップとＳ１０ステップの処理にてＲＡＭ１０７に格納された情報を読み出し、収納部１１３へセットされている普通紙がＡ４サイズの普通紙と判定されるとＳ１２ステップへ処理を進め、Ａ５サイズの普通紙と判定されれば、Ｓ１３ステップへ処理を進める。
【００４５】
Ｓ１２ステップにおいて、制御部１０１は、画情報メモリ１０５に蓄積された画情報をバッファメモリ１０８に展開し、バッファメモリ１０８上で画情報の縮小処理を行ない、縮小された画情報を印刷部１１２へ送信した後に、Ａ５サイズの普通紙に縮小された画情報を印刷部１１２で印刷させる。尚、このとき、Ｓ１０ステップでＲＡＭ１０７に一時的に格納された縦向きか或いは横向きかを示す画情報に合わせて印刷部１１２が印刷動作を行う。
【００４６】
Ｓ１３ステップにおいて、制御部１０１は、画情報メモリ１０５に蓄積された画情報をバッファメモリ１０８に展開し、この画情報を印刷部１１２へ送信した後に、印刷部１１２にてＡ４サイズの普通紙に画情報を印刷するように制御する。尚、このとき、Ｓ１０ステップでＲＡＭ１０７に一時的に格納された縦向きか或いは横向きかを示す画情報に合わせて印刷部１１２が印刷動作を行う。
【符号の説明】
【００４７】
１０・・・・・ファクシミリ装置
１０１・・・・制御部
１０２・・・・網制御部
１０３・・・・モデム
１０４・・・・読み取り部
１０５・・・・画情報メモリ
１０６・・・・ＲＯＭ
１０７・・・・ＲＡＭ
１０８・・・・バッファメモリ
１０９・・・・表示部
１１０・・・・入力部
１１２・・・・印刷部
１１３・・・・収納部
１１４・・・・センサ部
【図１】
2011199694.tif 000003
【図２】
2011199694.tif 000004
【図３】
2011199694.tif 000005